(57)【特許請求の範囲】
【請求項１】
携帯電子機器における機器筐体の一方端に設けた一方側凹部に係合する一方側爪部と、前記機器筐体の他方端に設けた他方側凹部に係合する他方側爪部と、前記機器筐体の一方端に設けた充電端子板に当接する充電端子バネとを有し、前記一方側爪部を前記一方側凹部に係合させるとともに、前記他方側爪部を前記他方側凹部に係合させ、前記充電端子バネを前記充電端子板に当接させた状態で前記携帯電子機器を装着保持し、前記携帯電子機器に対して充電を行なう携帯電子機器用充電器であって、
前記一方側爪部を有して成り、前記携帯電子機器の装着されていない状況において前記充電端子バネを外部に突出させることなく収容する待機位置と、前記携帯電子機器の装着された状況において前記充電端子バネを外部に突出させる保持位置との間を移動自在に設けられたスライドブロックと、
前記スライドブロックを前記保持位置から前記待機位置に向けて常時付勢する付勢バネと、
を具備して成ることを特徴とする携帯電子機器用充電器。
【請求項２】
機器筐体における一方端の前面に充電端子板を設けた携帯電子機器を装着保持するとともに、装着保持した携帯電子機器の充電端子板に前方から当接する充電端子バネを具備して成ることを特徴とする請求項１記載の携帯電子機器用充電器。
【請求項３】
機器筐体における一方端の底面に充電端子板を設けた携帯電子機器を装着保持するとともに、装着保持した携帯電子機器の充電端子板に底面から当接する充電端子バネを具備して成ることを特徴とする請求項１記載の携帯電子機器用充電器。
【請求項４】
複数の充電端子バネと、個々の充電端子バネに対して待機位置と保持位置との間を移動自在に設けられた複数のスライドブロックと、個々のスライドブロックを保持位置から待機位置に向けて常時付勢する複数の付勢バネとを具備して成ることを特徴とする請求項２または請求項３記載の携帯電子機器用充電器。
【発明の詳細な説明】
【０００１】
【発明の属する技術分野】
本発明は、例えば携帯電話機の如き充電式の携帯電子機器に対して充電を行なう際に使用される携帯電子機器用充電器に関するものである。
【０００２】
【従来の技術】
図１２に示す携帯電子機器の一態様である折り畳み式の携帯電話機Ａは、本体Ｂと蓋体ＣとをヒンジＤにより開閉自在に連結したもので、本体Ｂにはキー操作部(図示せず)等が設けられている一方、蓋体Ｃには表示部(図示せず)等が設けられ、上記本体Ｂに収納された充電可能な二次電池によって駆動される。
【０００３】
また、携帯電話機Ａにおける本体(機器筐体)Ｂの前端部(一方端)Ｂａには、一対の一方側凹部Ｂｆ、Ｂｆが形成されているとともに、左右一対の充電端子板Ｅ、Ｅが設けられ、本体(機器筐体)Ｂにおける後端部(他方端)Ｂｂには、１つの他方側凹部Ｂｒが形成されている。
【０００４】
図１３および図１４は、上述した携帯電話機Ａを充電するために使用される従来の充電器(携帯電子機器用充電器)を示しており、この充電器Ｇにおける筐体Ｈには、携帯電話機Ａの収容載置されるクレードルＩを挟んで、前方サポートＪと後方サポートＫとが形成されている。
【０００５】
上記前方サポートＪには、携帯電話機Ａの一方側凹部Ｂｆ、Ｂｆと係合する固定爪(一方側爪部)Ｌ、Ｌが突設されている一方、上記後方サポートＫには、携帯電話機Ａの他方側凹部Ｂｒと係合する可動爪(他方側爪部)Ｍが設けられており、この可動爪ＭはクレードルＩに出没する態様で移動自在に支承され、バネＳによって後方サポートＫから突出する方向(図中の左方向)に付勢されている。
【０００６】
また、上記前方サポートＪには、携帯電話機Ａの充電端子板Ｅ、Ｅと当接する充電端子バネＲ、Ｒが収容されており、これら充電端子バネＲ、Ｒは筐体Ｈに収容設置された回路基板Ｔに取り付けられ、その一部が前方サポートＪからクレードルＩに向けて突出している。
【０００７】
上述した携帯電話機Ａを充電するべく、上述した充電器Ｇに携帯電話機Ａを装着するには、先ず、作業者の手操作によって図１５(ａ)中における矢印ａの如く携帯電話機Ａを誘導し、携帯電話機Ａの一方側凹部Ｂｆ、Ｂｆに充電器Ｇの固定爪Ｌ、Ｌを係合させる。
【０００８】
次いで、携帯電話機Ａの後方部(図中の右方)を矢印ｂの如く押下し、バネＳの付勢力に抗して可動爪Ｍを押し遣りつつクレードルＩに載置して、携帯電話機Ａの他方側凹部Ｂｒに可動爪Ｍを係合させる。
【０００９】
このように、携帯電話機Ａの一方側凹部Ｂｆと他方側凹部Ｂｒとに、充電器Ｇの固定爪Ｌと可動爪Ｍとを係合させることで、図１５(ｂ)に示す如く携帯電話機Ａが充電器Ｇの所定位置に装着保持され、充電器Ｇの充電端子バネＲ、Ｒが携帯電話機Ａの充電端子板Ｈ、Ｈと確実に当接することとなり、この状態において携帯電話機Ａに対して充電が行なわれる。
【００１０】
【発明が解決しようとする課題】
ところで、上述した従来の充電器Ｇにおいては、携帯電話機Ａが装着されていない状態において、一対の充電端子バネＲ、Ｒは前方サポートＪから突出した状態で露出している。
【００１１】
このため、充電器Ｇに携帯電話機Ａを装着させる場合、固定爪Ｌに携帯電話機Ａの一方側凹部Ｂｆを係合させる際に、携帯電話機Ａにおける充電端子板Ｅ以外の箇所、例えば本体(機器筐体)Ｂ等の表面に充電端子バネＲが接触してしまうことが間々あった。
【００１２】
このとき、本体Ｂ等が接触することによって充電端子バネＲにゴミ等の異物が付着した場合、充電器Ｇに携帯電話機Ａを装着させた状態において、充電端子バネＲと充電端強板Ｅとの間に異物が介在することとなり、携帯電話機Ａに対する充電不良を招いてしまう問題があった。
【００１３】
また、充電器Ｇに携帯電話機Ａを装着させる際、携帯電話機Ａと接触することで充電端子バネＲが変形してしまう虞れがあり、このように充電端子バネＲが変形することによって充電端子板Ｅとの接触が不安定となり、携帯電話機Ａに対する充電不良を招いてしまう問題があった。
【００１４】
本発明は上記実状に鑑みて、充電端子バネの汚損や変形に起因する充電不良の発生を未然に防止することの可能な携帯電子機器用充電器の提供を目的とするものである。
【００１５】
【課題を解決するための手段】
本発明に関わる携帯電子機器用充電器は、携帯電子機器における機器筐体の一方端に設けた一方側凹部に係合する一方側爪部と、前記機器筐体の他方端に設けた他方側凹部に係合する他方側爪部と、前記機器筐体の一方端に設けた充電端子板に当接する充電端子バネとを有し、前記一方側爪部を前記一方側凹部に係合させるとともに、前記他方側爪部を前記他方側凹部に係合させ、前記充電端子バネを前記充電端子板に当接させた状態で前記携帯電子機器を装着保持し、前記携帯電子機器に対して充電を行なう携帯電子機器用充電器であって、
前記一方側爪部を有して成り、前記携帯電子機器の装着されていない状況において前記充電端子バネを外部に突出させることなく収容する待機位置と、前記携帯電子機器の装着された状況において前記充電端子バネを外部に突出させる保持位置との間を移動自在に設けられたスライドブロックと、
前記スライドブロックを前記保持位置から前記待機位置に向けて常時付勢する付勢バネとを具備して成ることを特徴とするものである。
【００１６】
【発明の実施の形態】
以下、本発明の実施例を、図面を参照しながら詳細に説明する。
図１は、携帯電子機器の一態様である携帯電話機を示しており、図２および図３は、図１に示した携帯電話機を充電するための携帯電子機器用充電器であって本発明を適用した携帯電子機器用充電器の第１実施例を示すものである。
【００１７】
図１に示す携帯電子機器の一態様である折り畳み式の携帯電話機１は、本体２と蓋体３とをヒンジ４によって開閉自在に連結したもので、本体２にはキー操作部(図示せず)等が設けられている一方、蓋体３には表示部(図示せず)等が設けられ、上記本体２に収納された充電可能な二次電池によって駆動される。
【００１８】
また、携帯電話機１の本体(機器筐体)２における前端部(一方端)２ａには、一対の一方側凹部２ｆ、２ｆが左右に形成されているとともに、一対の充電端子板５、５が形成されている一方、本体(機器筐体)２における後端部(他方端)２ｂには１つの他方側凹部２ｒが形成されている。
【００１９】
図２および図３に示す携帯電子機器用充電器１０(以下、充電器１０と称する)は、上述した携帯電話機１を充電する際に使用される装置であって、この充電器１０における筐体１１には、携帯電話機１の収容載置されるクレードル１１Ａを挟んで、前方サポート１１Ｆと後方サポート１１Ｒとが形成されている。
【００２０】
また、上記筐体１１の内部には回路基板１２が収容設置されており、この回路基板１２の一端側(図３中の左端側)には一対の充電端子バネ１３、１３が取付けられ、他端側(図３中の右端側)には外部電源等を接続するためのコネクタ１４が取付けられている。
【００２１】
さらに、上記筐体１１の内部には、前方サポート１１Ｆからクレードル１１Ａを臨み、かつ上記充電端子バネ１３、１３を覆う態様で、スライドブロック１５が移動自在に収容設置されている。
【００２２】
上記スライドブロック１５には、携帯電話機１の一方側凹部２ｆ、２ｆと係合する可動爪(一方側爪部)１５ｐ、１５ｐが、筐体１１のクレードル１１Ａに向けて突出する態様で一体形成されている。
【００２３】
一方、筐体１１における後方サポート１１Ｒには、携帯電話機１の他方側凹部２ｒと係合する固定爪(他方側爪部)１１ｐが、筐体１１のクレードル１１Ａに向けて突出する態様で一体形成されている。
【００２４】
図３〜図６に示す如く、上記スライドブロック１５は、回路基板１２に形成されたガイド部１２ｇに案内されて、充電器１０に携帯電話機１が装着されていない状況における待機位置（図６(ａ)参照）と、携帯電話機１を充電器１０の所定位置に保持した状況における保持位置（図６(ｂ)参照）との間を移動することができる。
【００２５】
さらに、上記スライドブロック１５は、筐体１１との間に介装された付勢バネ１６によって、上述した保持位置から待機位置に向けて常時付勢されており、筐体１１あるいは回路基板１２に形成されたストッパ(図示せず)と当接することで待機位置において停止している。
【００２６】
ここで、上記スライドブロック１５が待機位置に占位している場合、図４(ａ)に示す如く、充電端子バネ１３はスライドブロック１５の内部に設けられた凹部(図示せず)に完全に収容され、上記スライドブロック１５から何処も突出することなく囲繞されている。
【００２７】
一方、上記スライドブロック１５が保持位置に占位している場合、図４(ａ)および図５に示す如く、充電端子バネ１３はスライドブロック１５の正面に設けられた開口１３ｏを介して、上記スライドブロック１５の外部に突出している。
【００２８】
なお、上記スライドブロック１５は、左右の側部に形成したフランジ１５ｆ、１５ｆを、例えば筐体１１に形成したガイドレール(図示せず)と係合させることで、筐体１１の内部における上下方向の位置規制が為されている。
【００２９】
上述した構成の充電器１０に携帯電話機１を装着するには、先ず図６(ａ)に示す如く、作業者の手操作によって携帯電話機１を誘導し、待機位置に占位しているスライドブロック１５の可動爪１５ｐに、携帯電話機１の一方側凹部２ｆを係合させる。
【００３０】
次いで、携帯電話機１を矢印ａの如く前進させて、スライドブロック１５を付勢バネ１６の付勢力に抗して保持位置へ向けて押し遣るとともに、携帯電話機１の後方部(図中の右方部)を矢印ｂの如く押下して、充電器１０の固定爪１１ｐに携帯電話機１の他方側凹部２ｒを係合させる。
【００３１】
ここで、スライドブロック１５を保持位置へ向けて移動させることで、上記スライドブロック１５に収容されていた充電端子バネ１３が露出し、かつ前進する携帯電話機１に押し遣られて弾性変形することで、上記充電端子バネ１３は自身の弾性復帰力によって携帯電話機１の充電端子板５と圧接することとなる。
【００３２】
このようにして、図６(ｂ)に示す如く、保持位置に占位したスライドブロック１５の可動爪１５ｐと携帯電話機１の一方側凹部２ｆ、および後方サポート１１Ｒの固定爪１１ｐと携帯電話機１の他方側凹部２ｒを係合させることで、携帯電話機１が充電器１０の所定位置に装着保持されることとなり、充電端子バネ１３と充電端子板５とが確実に接触した状態において、上記充電器１０の稼動によって携帯電話機１に対する充電が行なわれることとなる。
【００３３】
上述した構成の充電器１０によれば、携帯電話機１を充電器１０に装着する場合、スライドブロック１５の可動爪１５ｐに一方側凹部２ｆを係合させた携帯電話機１は、待機位置から保持位置へ移動するスライドブロックにより、所定の装着位置にガイドされるため、充電端子バネ１３が充電端子板５以外の箇所、例えば本体(機器筐体)２等の表面に接触することがない。
【００３４】
かくして、異物が付着する等による充電端子バネ１３の汚損が防止され、充電器１０に携帯電話機１を装着させた状態において、充電端子バネ１３と充電端強板５との間に異物が介在することによる、携帯電話機１への充電不良が未然に防止されることとなる。
【００３５】
また、スライドブロック１５の可動爪１５ｐに一方側凹部２ｆを係合させた携帯電話機１は、待機位置から保持位置へ移動するスライドブロック１５により、所定の装着位置にガイドされるため、充電端子バネ１３に対して予期しない大きな外力が作用することがない。
【００３６】
かくして、充電端子バネ１３の不用意な変形が防止されるために、充電器１０に携帯電話機１を装着させた状態において、充電端子板５と充電端子バネ１３との接触が安定したものとなり、携帯電話機１への充電不良が未然に防止されることとなる。
【００３７】
また、待機位置に占位しているスライドブロック１５によって、充電端子バネ１３が外部に突出することなく収容されているため、携帯電話機１が装着されていない状態においても、異物の付着による充電端子バネ１３の汚損や、予期せぬ外力による充電端子バネ１３の変形を未然に防止することができ、さらに使用者の指先等が誤って充電端子バネ１３に触れてしまうことがないので、使用者が充電端子バネ１３に触れることによる不測の事態を未然に回避できる。
【００３８】
図７および図８は、本発明を適用した携帯電子機器用充電器の第２実施例を示しており、この携帯電子機器用充電器２０(以下、充電器２０と称する)は、図１に示した携帯電話機(携帯電子機器)１を充電する際に使用されるものである。
【００３９】
充電器２０における筐体２１の内部には、一対の充電端子バネ２３、２３を各々覆う態様で、２個のスライドブロック２５、２５が移動自在に収容設置されており、各々のスライドブロック２５には、携帯電話機１の一方側凹部２ｆと係合する１つの可動爪(一方側爪部)２５ｐが一体形成されている。
【００４０】
また、各々のスライドブロック２５は、回路基板２２のガイド部２２ｇに案内されて、待機位置と保持位置との間を移動することができ、筐体２１との間に介装された付勢バネ２６によって、上述した保持位置から待機位置に向けて常時付勢されている。
【００４１】
ここで、上述した充電器２０の構成は、個々の充電端子バネ２３に対応した２個のスライドブロック２５を設けた以外、図１〜図６に示した充電器１０と基本的に変わるところはないので、充電器２０の構成要素において充電器１０の構成要素と同一の作用を成すものに、図７および図８において図１〜図６と同一の符号に１０を加算した２０番台の番号を附すことで詳細な説明は省略する。
【００４２】
上述した構成の充電器２０においても、先に説明した充電器１０と同様の態様で携帯電話機１の装着が行われ、もって充電端子バネ２３の汚損や変形に起因する充電不良の発生を未然に防止し得る等、先に説明した充電器１０と同様の作用効果を奏することが可能である。
【００４３】
また、上述した構成の充電器２０においては、誤って一方のスライドブロック２５を押し込み、一方の充電端子バネ２３が露出した場合でも、独立している他方のスライドブロック２５は移動せず、他方の充電端子バネ２３までが露出することはないので、使用者の指先等が同時に一対の充電端子バネ２３、２３と接触することによる不測の事態を未然に回避できる。
【００４４】
図９に示す携帯電子機器の一態様である折り畳み式の携帯電話機１′は、本体２′と蓋体３′とをヒンジ４′により開閉自在に連結したもので、本体２′にはキー操作部(図示せず)等が設けられている一方、蓋体３′には表示部(図示せず)等が設けられており、上記本体２′に収納された充電可能な二次電池により駆動される。
【００４５】
また、携帯電話機１′の本体(機器筐体)２′における前端部(一方端)２ａ′には、一対の一方側凹部２ｆ′、２ｆ′が左右に形成されているとともに、底面に臨む態様で一対の充電端子板５′、５′が形成されている一方、本体(機器筐体)２′における後端部(他方端)２ｂ′には１つの他方側凹部２ｒ′が形成されている。
【００４６】
図１０および図１１は、本発明を適用した携帯電子機器用充電器の第３実施例を示し、この携帯電子機器用充電器３０(以下、充電器３０と称する)は、図９に示した携帯電話機(携帯電子機器)１′を充電する際に使用されるものである。
【００４７】
ここで、上述した充電器３０の構成は、充電端子バネ３３が上述した携帯電話機１′に対応した形状を呈している以外、図１〜図６に示した充電器１０と基本的に同一なので、充電器３０の構成要素において充電器１０の構成要素と同一の作用を成すものに、図１０および図１１において図１〜図６と同一の符号に２０を加算した３０番台の番号を附して詳細な説明は省略する。
【００４８】
上述した構成の充電器３０においても、図１１に示す如く先に説明した充電器１０と同様の態様で携帯電話機１′の装着が行われ、もって充電端子バネ３３の汚損や変形に起因する充電不良の発生を未然に防止し得る等、先に説明した充電器１０と同様の作用効果を奏することが可能である。
【００４９】
なお、上述した各実施例においては、携帯電子機器の一態様である折り畳み式の携帯電話機を対象とした充電器を例示しているが、極く一般的な形態の携帯電話機を対象とした充電器においても本発明を有効に適用し得ることは言うまでもない。
【００５０】
さらに、上述した各実施例においては、充電式の携帯電子機器である携帯電話機を対象とした充電器に本発明を適用した例を示したが、例えばＰＤＡ（パーソナル・データ・アシスタンス）等、携帯電話機以外の様々な携帯電子機器を対象とした充電器においても本発明を有効に適用し得ることは勿論である。
【００５１】
【発明の効果】
以上、詳述した如く、本発明に関わる携帯電子機器用充電器は、携帯電子機器における機器筐体の一方端に設けた一方側凹部に係合する一方側爪部と、前記機器筐体の他方端に設けた他方側凹部に係合する他方側爪部と、前記機器筐体の一方端に設けた充電端子板に当接する充電端子バネとを有し、前記一方側爪部を前記一方側凹部に係合させるとともに、前記他方側爪部を前記他方側凹部に係合させ、前記充電端子バネを前記充電端子板に当接させた状態で前記携帯電子機器を装着保持し、前記携帯電子機器に対して充電を行なう携帯電子機器用充電器であって、
前記一方側爪部を有して成り、前記携帯電子機器の装着されていない状況において前記充電端子バネを外部に突出させることなく収容する待機位置と、前記携帯電子機器の装着された状況において前記充電端子バネを外部に突出させる保持位置との間を移動自在に設けられたスライドブロックと、
前記スライドブロックを前記保持位置から前記待機位置に向けて常時付勢する付勢バネとを具備して成ることを特徴とするものである。
【００５２】
上記構成の携帯電子機器用充電器によれば、携帯電子機器を装着する場合、スライドブロックの一方側爪部に一方側凹部を係合させた携帯電子機器は、待機位置から保持位置へ移動するスライドブロックにより、所定の装着位置にガイドされるため、充電端子バネが充電端子板以外の箇所に接触することがない。
【００５３】
かくして、異物が付着する等による充電端子バネの汚損が防止され、携帯電子機器用充電器に携帯電子機器を装着させた状態において、充電端子バネと充電端強板との間に異物が介在することによる、携帯電子機器への充電不良が未然に防止されることとなる。
【００５４】
また、スライドブロックの一方側爪部に一方側凹部を係合させた携帯電子機器は、待機位置から保持位置へ移動するスライドブロックにより、所定の装着位置にガイドされるため、充電端子バネに対して予期しない大きな外力が作用することがない。
【００５５】
かくして、充電端子バネの不用意な変形が防止されるため、携帯電子機器用充電器に携帯電子機器を装着させた状態において、充電端子板と充電端子バネとの接触が安定したものとなり、携帯電子機器への充電不良が未然に防止されることとなる。
【００５６】
また、待機位置に占位しているスライドブロックにより、充電端子バネが外部に突出することなく収容されることで、携帯電子機器が装着されていない状態においても、ゴミ等の異物の付着による充電端子バネの汚損や、予期せぬ外力による充電端子バネの変形を未然に防止することができる。
【００５７】
さらに、待機位置に占位しているスライドブロックにより、充電端子バネが外部に突出することなく収容されることで、携帯電子機器が装着されていない状態において、使用者の指先等が誤って充電端子バネに触れてしまうことがなく、もって使用者が充電端子バネに触れることによる不測の事態を未然に回避することができる。
【図面の簡単な説明】
【図１】    (ａ)、(ｂ)、(ｃ)および(ｄ)は携帯電子機器を示す平面図、側面図、正面端面図および背面端面図。
【図２】    (ａ)および(ｂ)は本発明に関わる携帯電子機器用充電器の第１実施例を示す平面図および側面図。
【図３】図２に示した携帯電子機器用充電器の断面側面図。
【図４】    (ａ)および(ｂ)は図２に示した携帯電子機器用充電器の要部断面側面図。
【図５】図２に示した携帯電子機器用充電器の要部斜視図。
【図６】    (ａ)および(ｂ)は図１に示した携帯電子機器を図２に示した携帯電子機器用充電器に装着する手順を示す概念図。
【図７】    (ａ)および(ｂ)は本発明に関わる携帯電子機器用充電器の第２実施例を示す平面図および側面図。
【図８】図７に示した携帯電子機器用充電器の要部斜視図。
【図９】    (ａ)、(ｂ)、(ｃ)および(ｄ)は携帯電子機器を示す平面図、側面図、正面端面図および背面端面図。
【図１０】本発明に関わる携帯電子機器用充電器の第３実施例を示す断面側面図。
【図１１】    (ａ)および(ｂ)は図９に示した携帯電子機器を図１０に示した携帯電子機器用充電器に装着する手順を示す概念図。
【図１２】    (ａ)、(ｂ)、(ｃ)および(ｄ)は携帯電子機器を示す平面図、側面図、正面端面図および背面端面図。
【図１３】    (ａ)および(ｂ)は従来の携帯電子機器用充電器を示す平面図および側面図。
【図１４】図１３に示した携帯電子機器用充電器の断面側面図。
【図１５】    (ａ)および(ｂ)は携帯電子機器を従来の携帯電子機器用充電器に装着する手順を示す概念図。
【符号の説明】
１、１′…携帯電話機(携帯電子機器)、
２、２′…本体(機器筐体)、
２ａ、２ａ′…前端部(一方端)、
２ｂ、２ｂ′…後端部(他方端)、
２ｆ、２ｆ′…一方側凹部、
２ｒ、２ｒ′…他方側凹部、
５、５′…充電端子板、
１０、２０、３０…充電器(携帯電子機器用充電器)、
１１、２１、３１…筐体、
１１ｐ、２１ｐ、３１ｐ…固定爪(他方側爪部)、
１３、２３、３３…充電端子バネ、
１５、２５，３５…スライドブロック、
１５ｐ、２５ｐ、３５ｐ…可動爪(一方側爪部)、
１６、２６，３６…付勢バネ。
【図１】
0003884320.tif 000002
【図２】
0003884320.tif 000003
【図３】
0003884320.tif 000004
【図４】
0003884320.tif 000005
【図５】
0003884320.tif 000006
【図６】
0003884320.tif 000007
【図７】
0003884320.tif 000008
【図８】
0003884320.tif 000009
【図９】
0003884320.tif 000010
【図１０】
0003884320.tif 000011
【図１１】
0003884320.tif 000012
【図１２】
0003884320.tif 000013
【図１３】
0003884320.tif 000014
【図１４】
0003884320.tif 000015
【図１５】
0003884320.tif 000016